(57)【要約】【課題】基礎ブロックを隣接する基礎ブロックに対して所定の曲がり配置位置に配置することを容易にし、隣接する基礎ブロック間を、原価を安価にした連結手段で、モルタルあるいはコンクリート等の詰め物を充填することなく連結し、隣接する基礎ブロック間を固定して延長したガードレールを形成する。【解決手段】隣接した基礎ブロック同士を、一方の凸R形状面もしくは凹R形状面と他方の凹R形状面もしくは凸R形状とを接触係合させながら配置位置調整して所定の曲がり配置位置に配置し、側壁の間の空間部に充填剤が挿入されない状態で、隣接した基礎ブロックの側壁同士を２組の締結手段組で締結されて連結し、所定の曲がり配置位置に配置に、隣接した基礎ブロックの前記側壁同士を固定する。【選択図】図１
2020090802.tif 000002
【特許請求の範囲】
【請求項１】
前端が後端に比べて狭められた底板と、当該底板の後端部に立設した平板上の前壁と、当該前壁の一部に、前端側に厚くして設けられ、支柱建込用の穴を有する補強ブロックと、底板の両端より内側の位置に前記前壁に接続して設けられた側壁と、を一体成形してなる、隣接した基礎ブロックに延長方向に連結して用いられるガードレール用の基礎ブロックにおいて、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合し、隣接した基礎ブロック同士が、直線状の配置から底板のある内方及び反対方向の外方のいずれかの方向へ回転動作されて曲がり配置され得て、前記基礎ブロックが隣接した基礎ブロックに配置角度に対して所定の接触係合配置角度を有し、
隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結することで隣接した基礎ブロックを締結する締結手段を備え、
所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたこと
を特徴とするガードレール用の基礎ブロック。
【請求項２】
前端が後端に比べて狭められた底板と、当該底板の後端部に立設した平板上の前壁と、当該前壁の一部に、前端側に厚くして設けられ、支柱建込用の穴を有する補強ブロックと、底板の両端より内側の位置に前記前壁に接続して設けられた側壁と、を一体成形してなる、隣接した基礎ブロックに延長方向に連結して用いられるガードレール用の基礎ブロックにおいて、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合し、隣接した基礎ブロック同士が、直線状の配置から底板のある内方及び反対方向の外方のいずれかの方向へ回転動作されて曲がり配置され得て、前記基礎ブロックが隣接した基礎ブロックに配置角度に対して所定の接触係合配置角度を有し、
隣接した基礎ブロックの前記側壁同士を相互に締結することで隣接した基礎ブロックを締結する締結手段を備え、
所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたこと
を特徴とするガードレール用の基礎ブロック。
【請求項３】
前端が後端に比べて狭められた底板と、当該底板の後端部に立設した平板上の壁と、当該壁の一部に、当該部分を前端側に厚くして設けられ、支柱建込用の穴を有する補強ブロックと、底板の両端より内側の位置に前記前壁に接続して設けられた側壁と、を有し、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合して、隣接した基礎ブロック同士を、直線状の配置から底板のある内方及び反対方向の外方のいずれかの方向への曲がり配置されることが可能とされ、
隣接した基礎ブロックの前記側壁同士を相互に連結する、ボルトとナットを有した締結手段組を２組有して、隣接した基礎ブロックの前記側壁同士を締結することで隣接した基礎ブロックを連結する連結手段を備えたガードレール用の基礎ブロックを隣接した基礎ブロックに対して延長方向に連結してガードレールを形成する方法において、
隣接した基礎ブロック同士を、回動動作させて、一方の凸R形状面もしくは凹R形状面と他方の凹R形状面もしくは凸R形状とを接触係合させながら配置位置調整して、
前記基礎ブロックが隣接した基礎ブロックに配置角度に対して所定の接触係合配置角度で配置し、
前記側壁の間の空間部に充填剤が挿入されない状態で、かつ前記基礎ブロックが隣接した基礎ブロックに配置角度に対して所定の接触係合配置角度で隣接した基礎ブロックの前記側壁同士を２組の締結手段で締結して連結し、固定して、延長したガードレールを形成すること
を特徴とするガードレール用の基礎ブロックを隣接した基礎ブロックに対して延長方向に連結してガードレールを形成する方法。
【発明の詳細な説明】
【技術分野】
【０００１】
本発明は、ガードレール用の基礎ブロック及びガードレール用の基礎ブロックを隣接した基礎ブロックに対して延長方向に連結してガードレールを形成する方法に関する。
【背景技術】
【０００２】
ガードレール用の基礎ブロックを隣接した基礎ブロックに対して延長方向に連結することでガードレールが形成される。
【０００３】
特許文献１には、このような基礎ブロックが底板と、この底板の前端に立設した前壁と、この前壁の一部を厚くして支柱建て込み用の穴を設けた補強ブロックと、底板に設けた側壁とを一体成形し、連結空間を設け、隣接するブロック相互を連結手段で連結され、当該連結空間内にモルタルあるいはコンクリートが充填される構造を備えることが記載される。コンクリートを充填すること及び連結手段で、隣接した基礎ブロックの接続を行っている。
【０００４】
特許文献２には、擁壁ブロックの対抗するフランジに２本の連結ボルトを挿通させ、ナットを掛けることでブロック相互を転結し、ブロック間にセメントを詰めない構造が記載される。
【０００５】
特許文献３には、コンクリートブロックの前面部に凹部又は凸部を設け、相手側コンクリートブロックの前面部に凸部又は凹部を設けて双方を嵌合させ、連結部材で双方のコンクリートブロックを固定する構造を記載する。
【先行技術文献】
【特許文献】
【０００６】
【特許文献１】特許第３７７４８９２号公報
【特許文献２】特許第４１７０８００号公報
【特許文献３】特許第２９６３３７８号公報
【発明の概要】
【発明が解決しようとする課題】
【０００７】
基礎ブロックを延長方向に連結されて構成されるガードレールは配置上の関係で、延長直線方向に対して曲げられた状態で配置されることが求められる。
【０００８】
基礎ブロックは、隣接する基礎ブロックとの曲げ状態を簡便に形成でき、しかも曲げ角度を大きく設定することができて、ガードレールを前面から見たときに、任意の曲げ状態にあるガードレール外面が連続した面一形状をなして安全性が確保されたものであること、及び双方の基礎ブロックを固定する連結部材については、ブロック間にモルタルあるいはコンクリート等の詰め物を充填することを要さずに双方の基礎ブロックを強固に固定し、原価が安価で、基礎ブロックに容易に装着されものであることが求められる。
【０００９】
特許文献に記載されたこれらの基礎ブロックでは、上述したニーズを満足させることができない。
【００１０】
本発明は、かかる点に鑑み上述したニーズを満足させることのできる構造を持った基礎ブロックが用いられ、基礎ブロック間にモルタルあるいはコンクリート等の詰め物を充填することを要さずに双方の基礎ブロックを強固に締結し、原価が安価で、基礎ブロックに容易に装着され得るようにすることを課題とする。
【課題を解決するための手段】
【００１１】
本発明は、隣接した基礎ブロック同士を、一方の凸R形状面もしくは凹R形状面と他方の凹R形状面もしくは凸R形状とを接触係合させながら配置位置調整して所定の曲がり配置位置に配置し、側壁の間の空間部に充填剤が挿入されない状態で、隣接した基礎ブロックの側壁同士を２組の連結手段で連結し、隣接した基礎ブロック同士を、配置位置調整して所定の曲がり配置位置に配置した。
【００１２】
本発明は、隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結することで隣接した基礎ブロックを締結する締結手段を用いた。
【００１３】
本発明は、基礎ブロック同士を、前記側壁の間の空間部に充填剤が挿入されない状態で、２組の締結手段組で締結されて連結し、所定の接触係合配置角度で締結することで固定した。
【００１４】
本発明は、具体的には、前端が後端に比べて狭められた底板と、当該底板の後端部に立設した平板上の前壁と、当該前壁の一部に、前端側に厚くして設けられ、支柱建込用の穴を有する補強ブロックと、底板の両端より内側の位置に前記前壁に接続して設けられた側壁と、を一体成形してなる、隣接した基礎ブロックに延長方向に連結して用いられるガードレール用の基礎ブロックにおいて、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合し、隣接した基礎ブロック同士が、直線状の配置から底板のある内方及び反対方向の外方のいずれかの方向へ回転動作されて曲がり配置され得て、前記基礎ブロックが隣接した基礎ブロックに配置角度に対して所定の接触係合配置角度を有し、
隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結することで隣接した基礎ブロックを締結する締結手段を備え、
所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたこと
を特徴とするガードレール用の基礎ブロックを提供する。
【００１５】
発明は、端が後端に比べて狭められた底板と、当該底板の後端部に立設した平板上の前壁と、当該前壁の一部に、前端側に厚くして設けられ、支柱建込用の穴を有する補強ブロックと、底板の両端より内側の位置に前記前壁に接続して設けられた側壁と、を一体成形してなる、隣接した基礎ブロックに延長方向に連結して用いられるガードレール用の基礎ブロックにおいて、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合し、隣接した基礎ブロック同士が、直線状の配置から底板のある内方及び反対方向の外方のいずれかの方向へ回転動作されて曲がり配置され得て、前記基礎ブロックが隣接した基礎ブロックに配置角度に対して所定の接触係合配置角度を有し、
隣接した基礎ブロックの前記側壁同士を相互に締結することで隣接した基礎ブロックを締結する締結手段を備え、
所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたこと
を特徴とするガードレール用の基礎ブロックを提供する。
【００１６】
本発明は、前端が後端に比べて狭められた底板と、当該底板の後端部に立設した平板上の壁と、当該壁の一部に、当該部分を前端側に厚くして設けられ、支柱建込用の穴を有する補強ブロックと、底板の両端より内側の位置に前記前壁に接続して設けられた側壁と、を有し、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合して、隣接した基礎ブロック同士を、直線状の配置から底板のある内方及び反対方向の外方のいずれかの方向への曲がり配置されることが可能とされ、
隣接した基礎ブロックの前記側壁同士を相互に連結する、ボルトとナットを有した締結手段組を２組有して、隣接した基礎ブロックの前記側壁同士を締結することで隣接した基礎ブロックを連結する連結手段を備えたガードレール用の基礎ブロックを隣接した基礎ブロックに対して延長方向に連結してガードレールを形成する方法において、
隣接した基礎ブロック同士を、回動動作させて、一方の凸R形状面もしくは凹R形状面と他方の凹R形状面もしくは凸R形状とを接触係合させながら配置位置調整して、
前記基礎ブロックが隣接した基礎ブロックに配置角度に対して所定の接触係合配置角度で配置し、
前記側壁の間の空間部に充填剤が挿入されない状態で、かつ前記基礎ブロックが隣接した基礎ブロックに配置角度に対して所定の接触係合配置角度で隣接した基礎ブロックの前記側壁同士を２組の締結手段で締結して連結し、固定して、延長したガードレールを形成すること
を特徴とするガードレール用の基礎ブロックを隣接した基礎ブロックに対して延長方向に連結してガードレールを形成する方法を提供する。
【発明の効果】
【００１７】
本発明によれば、一方の凸R形状面もしくは凹R形状面と他方の凹R形状面もしくは凸R形状とを接触係合させながら配置位置調整して所定の曲がり配置位置に配置し、上述したニーズを満足させることのできる構造を持った基礎ブロックが用いられ、基礎ブロック間にモルタルあるいはコンクリート等の詰め物を充填することを要さずに双方の基礎ブロックを強固に固定し、原価が安価で、基礎ブロックに容易に装着され得る。
【図面の簡単な説明】
【００１８】
【図１】本発明の実施例である基礎ブロックが連結されることで構成されたガードレールの外観を示す図
【図２】本発明の実施例である基礎ブロックの構成を示す斜視図
【図３】本実施例で採用可能な一対のボルト及びナットを示す図
【図４（１）】本発明の実施例である基礎ブロック連結の３つの形態を示す図
【図４（２）】本発明の実施例である基礎ブロック連結の３つの形態を示す図
【図４（３）】本発明の実施例である基礎ブロック連結の３つの形態を示す図
【図５】ガードレールを構成するに際して、基礎ブロック間の連結角度を順次調整する状態を説明する図
【図６】図５の詳細図
【発明を実施するための形態】
【００１９】
以下、本発明にかかる実施例を図面に基づいて説明する。
【００２０】
図１は、本発明の実施例である基礎ブロックが連結されることで構成されたガードレールの外観を示す図である。
【００２１】
図１において、本発明の実施例を示す基礎ブロックが延長直線方向に対して外方あるいは内方方向に曲げられた状態で配置調整されて構成されたガードレール１００が示される。
【００２２】
基礎ブロック１が、４つの基礎ブロック１Ａ、１Ｂ、１Ｃ、１Ｄから構成された例が示される。基礎ブロック１Ａ、１Ｂ、１Ｃ、１Ｄは同一の形状をなす。連結数は、４つの基礎ブロック１Ａ、１Ｂ、１Ｃ、１Ｄの連結に限定されない。
【００２３】
図２は、一つの基礎ブロック１を示す斜視図である。
【００２４】
図２において、基礎ブロック１は、平面形状が前端縁長さに対して後端縁長さをわずかに短くして、両側をテーパ状にした略四角形状にした底板２と、この底板２の前端縁に所定高さに立設した前壁３と、この前壁３の幅方向中間部に、前壁３より厚くして形成された補強ブロック４と、底板２の両側部に立設した左右の側壁５、６とをコンクリートにて一体成形した構成になっている。前壁３が図面上で二重の線が描かれているが、これは端部が面取りされ微小なＲ形状をなすことによる。側壁５、６についても同様である。
【００２５】
補強ブロック４には、その中央部に垂直方向に支柱を建て込むための孔７が設けてある。
【００２６】
左右の側壁５、６は、断面矩形状で直方体をなし、前端が前壁３の背面に接続され、後端(図面で手前端)は開放端になっている。側壁５、６には、底板２の上面に並行になるようにして２つの孔１１Ａ、１１２Ａ及び孔１２、１２Ａが設けてある。孔１１、１１Ａは有底で、同一の形状をなす。孔１２、１２Ａは貫通項で、同一の形状をなす。
【００２７】
孔１１、１１Ａは、側壁６のその外側から空けられ、有底形状をなし、孔１２、１２Ａは、側壁５に、側壁５を貫通して設けられる。設けられた孔１２、１２Ａには、後述するボルト２１、２１Ａが貫通し、孔１２、１２Ａは、ボルト２１、２１Ａの孔径に対して所定の大きさの孔径を持つ。総称するときには、１１、１２と称する。それぞれの孔の入口部には深みの浅いくぼみ８が形成される。このくぼみの内径は、７０ｍｍ〜７０＋１０ｍｍ程度とされた。後述するワッシャーは、このくぼみ内に配置される。
【００２８】
前壁３は、全体的に平板状で、前面が平面状をなし、左右の両端面１３、１４には、隣接する基礎ブロックに向けて凸R形状面もしくは凹R形状面が形成される。図２では、左端面１３に凸R形状面が形成され、右端面１４に凹R形状面が形成されている。以下、この形状を例にとって説明する。
【００２９】
凸R形状面及び凹R形状面は実質同一の半径形状であり、半周以下、例えば３０°以内で凸R形状面及び凹R形状面が形成される。したがって、凸R形状面を隣接する凹R形状面に半周以下の範囲で接触させることができる。接触させると、左右の両端面１３、１４は、隣接する左右の両端面１３、１４に全面接触による接触係合関係が形成される。この接触係合関係によって基礎ブロック１Ａは、隣接する基礎ブロック１Ａに対して回動しての所定の位置配置での配置が容易になされる。外方からは、連結部における連結状態が、回転動作がなされなかったかのように、面一状を呈する。
【００３０】
このように、曲り配置の状態で隣接した基礎ブロックの前記側壁同士間に形成された空間部が形成された状態で、前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って接触係合し、隣接した基礎ブロック同士が、直線状の配置から底板のある内方及び反対方向の外方のいずれかの方向へ回転動作されて曲がり配置されることが可能とされる。これによって、基礎ブロックが隣接した基礎ブロックに配置角度に対して所定の接触係合配置角度を有する形態が形成される。
【００３１】
図３は、本実施例で採用可能な一対のボルト及びナットを示す図である。１組のボルト及びナット２０は、一つのボルト２１とこのボルト上に離間して配置される２つのナット２２、２３からなる。ボルト２１には２方向からネジが設けられ、２つのナット２２、２３はそれぞれのネジに螺合される。
【００３２】
２つのナット２２、２３には、それぞれワッシャー２４、２５がナット２２、２３に接触可能にしてボルト２１に装着される。ワッシャー２４、２５の外径は、前述の孔１２の孔径よりも大きい。この例では、ナット２２及びワッシャー２４とナット２３及びワッシャー２５との配置関係は、逆配置とされた。
【００３３】
他方の組みのボルト及びナット２０Ａについても、構造、作用は同様であり、各部品に「Ａ」を付けた。
【００３４】
この例では、ボルト２１，２１Ａの全長が３００ｍｍのものが採用された。短長のボルトが採用された。
【００３５】
この例では、孔１１、１１Ａが有底構造とされ、孔１２，１２Ａが貫通孔とされたが、孔１１、１２Ａを有底構造とし、孔１１Ａ、１２を貫通孔とすることができる。作業のやり易さからこの例の構造が推奨される。
【００３６】
このように、隣接した基礎ブロックの前記側壁同士を相互に連結する、ボルトとナットを有した締結手段組を２組有して、隣接した基礎ブロックの前記側壁同士を締結することで隣接した基礎ブロックを締結する締結手段を備えた。
【００３７】
図４は、本発明の実施例である基礎ブロック連結の３つの形態でガードレール１００を形成した示す図である。
【００３８】
基礎ブロック連結の３つの形態が、図４（１）、図４（２）、図４（３）のように枠内に示される。図４（１）は、ガードレール１００が前側に曲げられて形成された形態を示し（曲げ曲率半径１００００ｍｍ）、図４（２）は、ガードレール１００が直線方向に連結されて形成された形態を示し、図４（３）は、ガードレール１００が後側に曲げられて形成（反対方向に、曲げ曲率半径１００００ｍｍ）された形態を示す。
【００３９】
図４（１）において、基礎ブロック１Ａと基礎ブロック１Ｂとは、前面からみて、Ｒ１００００ｍｍの曲率で配置位置の調整がなされた。
【００４０】
このような調整に先立って、孔１１、１１Ａに１組のボルト及びナット２０が側壁６、５に装着され、孔１２、１２Ａに他組のボルト及びナット２０Ａが装着された。ナット２２、２５は、側壁５の両側に、調整前位置に装着される。
【００４１】
隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結する。
【００４２】
孔１１，１１を有底とすることで、空間部３９に配置されるナット２２、ワッシャー２４は、一組のみとなってナット２２、ワッシャー２４は極小の数とし、側壁の間に形成された空間部３０にモルタルあるいはコンクリートなどの充填剤の挿入を不要とする。
【００４３】
この状態で、基礎ブロック１Ａの右端面１４の凹R形状面が基礎ブロック１Ｂの左端面１３の凸R形状面に全面接触による接触係合が形成される。基礎ブロック１Ａと基礎ブロック１Ｂとは、右端面１４と左端面１３とは嵌合することなく接触係合状態にあり、見た目に面一できれいな連続した面の接合となる。
【００４４】
側壁６、５は、後端側で、角度αで大きく開いた空間部３０が形成される。１組のボルト及びナット２０のボルト２１の左端が孔１の有する底まで到達するようにして、挿入された。他組のボルト及びナット２０Ａについても同様である。
【００４５】
この時、隣接する基礎ブロック５、６の配置角度αである。
【００４６】
側壁同士を配置調整された回転角度で、ナット２２、ワッシャー２４が左側から、そしてナット２３、ワッシャー２５が右側から側壁５を挟み込み、ナット２２Ａ、ワッシャー２４Ａが左側から、そしてナット２３Ａ、ワッシャー２５Ａが右側から側壁５を挟み込む。この時に、側壁の間の空間部３０は、充填剤が挿入されない状態にある。
【００４７】
このようにして装着される１組のボルト及びナット２０のボルト２１及び他組のボルト及びナット２０Ａのボルト２１Ａは、２組のペア構成であるので固定強度が確保され、その長さが短いものが採用可能とされ、径の小さいものが採用可能とされ、原価低減が図られる。
【００４８】
何らかの物体、例えば車両が基礎ブロックの前面に衝突した場合を想定すると、衝突を受けた基礎ブロックは隣接する基礎ブロック方向に滑動しようとする。
【００４９】
基礎ブロック１Ｂの前面に衝突した場合を想定すると、基礎ブロック１Ｂは、接触係合面を中心にして時計針回転方向に回転しようとする。
【００５０】
ボルトとナットとからなる一方の組２０及びボルトとナットとからなる他方の組２０Ａが、側壁６．５同士を設定された時計針回転角度で固定して時計針方向回転を不可とする。
【００５１】
基礎ブロック１Ａの前面に衝突した場合を想定すると、基礎ブロック１Ａは、接触係合面を中心にして時計針逆回転方向に回転しようとする。
【００５２】
ボルトとナットとからなる一方の組２０及びボルトとナットとからなる他方の組２０Ａが、側壁６．５同士を設定された時計針逆回転角度で固定して時計針方向逆回転を不可とする。
【００５３】
何らかの物体がいずれかの基礎ブロック１Ｂ、１Ａの前面に衝突した場合にあっても、側壁６、５同士は、時計針回転方向、時計針逆回転方向の運動が不可とされる。
【００５４】
この構成によれば、基礎ブロックが隣接した基礎ブロックに配置角度に対して所定の接触係合配置角度で配置し、側壁の間に形成された空間部３０にモルタルあるいはコンクリートなどの充填剤が挿入されなくても隣接する基礎ブロック１Ａ、１Ｂを所定の接触係合配置角度で締結して固定することができる。
【００５５】
図４（２）において、基礎ブロック１Ｂと基礎ブロック１Ｃとは、前面からみて、直線状に配置調整された。
【００５６】
この状態で、基礎ブロック１Ｂの右端面１４の凹R形状面が基礎ブロック１Ｃの右端面１４の凸R形状面に全面接触による接触係合が形成された。
【００５７】
側壁６、５は、後端側で、角度αで大きく開いた空間部３０が形成される。１組のボルト及びナット２０のボルト２１の左端が孔１の有する底まで到達するようにして、挿入された。他組のボルト及びナット２０Ａについても同様である。
【００５８】
この時、隣接する基礎ブロック５、６の配置角度βである。
【００５９】
側壁同士を配置調整された回転角度で、ナット２２、ワッシャー２４が左側から、そしてナット２３、ワッシャー２５が右側から側壁５を挟み込み、ナット２２Ａ、ワッシャー２４Ａが左側から、そしてナット２３Ａ、ワッシャー２５Ａが右側から側壁５を挟み込む。この時に、側壁の間の空間部３０は、充填剤が挿入されない状態にある。
【００６０】
隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結する。
【００６１】
このようにして装着される１組のボルト及びナット２０のボルト２１及び他組のボルト及びナット２０Ａのボルト２１Ａは、２組のペア構成であるので固定強度が確保され、その長さが短いものが採用可能とされ、径の小さいものが採用可能とされ、原価低減が図られる。
【００６２】
何らかの物体、例えば車両が基礎ブロックの前面に衝突した場合を想定すると、衝突を受けた基礎ブロックは隣接する基礎ブロック方向に滑動しようとする。
【００６３】
基礎ブロック１Ｃの前面に衝突した場合を想定すると、基礎ブロック１Ｃは、接触係合面を中心にして時計針回転方向に回転しようとする。
【００６４】
ボルトとナットとからなる一方の組２０及びボルトとナットとからなる他方の組２０Ａが、側壁６．５同士を設定された時計針回転角度で固定して時計針方向回転を不可とする。
【００６５】
基礎ブロック１Ｂの前面に衝突した場合を想定すると、基礎ブロック１Ｂは、接触係合面を中心にして時計針逆回転方向に回転しようとする。
【００６６】
ボルトとナットとからなる一方の組２０及びボルトとナットとからなる他方の組２０Ａが、側壁６．５同士を設定された時計針逆回転角度で固定して時計針方向逆回転を不可とする。
【００６７】
何らかの物体がいずれかの基礎ブロック１Ｂ、１Ｃの前面に衝突した場合にあっても、側壁６、５同士は、時計針回転方向、時計針逆回転方向の運動が不可とされる。
【００６８】
この構成によれば、基礎ブロックが隣接した基礎ブロックに配置角度に対して所定の接触係合配置角度で配置し、側壁の間に形成された空間部３０にモルタルあるいはコンクリートなどの充填剤が挿入されなくても隣接する基礎ブロック１Ａ、１Ｂを所定の接触係合配置角度で締結して固定することができる。
【００６９】
図４（３）において、基礎ブロック１Ｃと基礎ブロック１Ｄとは、後面からみて、Ｒ１００００ｍｍの曲率で配置調整された。
【００７０】
このような状態で、孔１１Ａに１組のボルト及びナット２０が装着され、孔１１Ｂに他組のボルト及びナット２０Ａが装着された。
【００７１】
この状態で、基礎ブロック１Ｅの右端面１４の凹R形状面が基礎ブロック１Ｆの右端面１４の凸R形状面に全面接触による接触係合が形成された。
【００７２】
側壁６、５は、後端側で、角度γの２つのナットが配置される程度の狭い角度γで空間部３０が形成される。側壁６、５は、後端側で、角度γ（０．８２°）でた空間部３０（間隔長：１７．２ｍｍ）が形成される。１組のボルト及びナット２０のボルト２１の左端が孔１の有底まで到達するようにして、挿入された。他組のボルト及びナット２０Ａについても同様である。
【００７３】
側壁同士を配置調整された回転角度で、ナット２２、ワッシャー２４が左側から、そしてナット２３、ワッシャー２５が右側から側壁５を挟み込み、ナット２２Ａ、ワッシャー２４Ａが左側から、そしてナット２３Ａ、ワッシャー２５Ａが右側から側壁５を挟み込む。この時に、側壁の間の空間部３０は、充填剤が挿入されない状態にある。
【００７４】
隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結する。
【００７５】
図４（３）の場合、孔１１，１１を有底とすることで、空間部３９に配置されるナット２２、ワッシャー２４は、一組のみとなって配置角度γを小さくすることができる。
【００７６】
このようにして装着される１組のボルト及びナット２０のボルト２１及び他組のボルト及びナット２０Ａのボルト２１Ａは、２組のペア構成であるので固定強度が確保され、その長さが短いものが採用可能とされ、径の小さいものが採用可能とされ、原価低減が図られる。
【００７７】
何らかの物体、例えば車両が基礎ブロックの前面に衝突した場合を想定すると、衝突を受けた基礎ブロックは隣接する基礎ブロック方向に滑動しようとする。
【００７８】
基礎ブロック１Ｄの前面に衝突した場合を想定すると、基礎ブロック１Ｄは、接触係合面を中心にして時計針回転方向に回転しようとする。
【００７９】
ボルトとナットとからなる一方の組２０及びボルトとナットとからなる他方の組２０Ａが、側壁６．５同士を設定された時計針回転角度で固定して時計針方向回転を不可とする。
【００８０】
基礎ブロック１Ｃの前面に衝突した場合を想定すると、基礎ブロック１Ｃは、接触係合面を中心にして時計針逆回転方向に回転しようとする。
【００８１】
ボルトとナットとからなる一方の組２０及びボルトとナットとからなる他方の組２０Ａが、側壁６．５同士を設定された時計針逆回転角度で固定して時計針方向逆回転を不可とする。
【００８２】
何らかの物体がいずれかの基礎ブロック１Ｄ、１Ｃの前面に衝突した場合にあっても、側壁６、５同士は、時計針回転方向、時計針逆回転方向の運動が不可とされる。
【００８３】
この構成によれば、側壁の間に形成された空間部３０にモルタルあるいはコンクリートなどの充填剤が挿入されなくても隣接する基礎ブロック１Ｃ、１Ｄを所定の配置位置に即固定することができる。
【００８４】
このように、隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結することで隣接した基礎ブロックを連結する連結手段を備え隣接した基礎ブロックの前記側壁同士を相互に連結する、ボルトとナットを有した締結手段組を２組有して、隣接した基礎ブロックの前記側壁同士を締結することで隣接した基礎ブロックを連結する連結手段を備える。
【００８５】
所定の接触角度で曲がり配置に設定された隣接した基礎ブロック同士が、前記側壁の間の空間部に充填剤が挿入されない状態で、隣接した基礎ブロックの前記側壁同士が２組の締結手段組で締結されて連結され、所定の接触係合配置角度で締結して固定される構造が構成される。
【００８６】
本実施例では、隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの側壁同士を締結することで隣接した基礎ブロックを締結する締結手段が採用された。
【００８７】
このような締結手段は、ボルトをインサート材として使用し、隣接する基礎ブロックの開閉角度を所定の接触係合配置角度にすることが容易に、かつ安価にできる利点があり、採用が推奨されるが、本発明の構成にあったては、この締結手段に限定されない。例えば、公知のＷ羽根板ボルトによって、公知のホールダウンＵを用いることで、隣接する基礎ブロックの開閉角度を所定の接触係合配置角度にすることができ、ボルトを一方の孔の底に押し当てて配置することに代えて、貫通するボルト孔を設けて長ボルトを貫通させ、ナットで締結し、さらには楔を打ち込むなどして隣接する基礎ブロックの開閉角度を所定の接触係合配置角度にすることができる。側壁にインサート材を埋め込み、ボルト・ナットで締結することで、隣接する基礎ブロックの開閉角度を所定の接触係合配置角度にするようにしてもよい。
【００８８】
隣接した基礎ブロックの前記側壁同士を相互に締結することで隣接した基礎ブロックを締結する締結手段を備え、  所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたガードレール用の基礎ブロックが提案される。
【００８９】
図５は、ガードレールを構成するに際して、基礎ブロック間の連結角度を順次調整する状態を説明する図である。
【００９０】
図６は、図５の詳細図である。
【００９１】
上述したように、いずれかの基礎ブロックあるいは双方の基礎ブロックを回動動作させ、凸R形状面もしくは凹R形状面が、隣接した基礎ブロックの前壁の両端面に設けられた凹R形状面もしくは凸R形状面に沿って接触係合して、隣接した基礎ブロック同士を、直線状の配置から底板のある内方及び反対方向の外方のいずれかの方向へ曲がり配置する。
【００９２】
図５及び図６に示される例の場合、この曲り調整は、５．００°づつ２２．１５°までの範囲でなされた。図４と対応したときに、図４（１）におけるα角は、２２．１５°で、底板先端部における空間部間隔は、３９０ｍｍである。図４（２）におけるβ角は、１０．６７°で、底板先端部における空間部間隔は、２００ｍｍである。図４（３）におけるδは、０．８２°で、底板先端部における空間部間隔は、７．８ｍｍである。空間部間隔を３９０ｍｍ、２００ｍｍ、７．８ｍｍのように極力小さくすることで、施工性、安全性が高められる。この曲り調整は、０〜３０°の範囲で行うことが推奨される。
【００９３】
このように、隣接した基礎ブロック同士を、回動動作させて、一方の凸R形状面もしくは凹R形状面と他方の凹R形状面もしくは凸R形状とを接触係合させながら配置位置調整して所定の曲がり配置位置に配置し、
前記側壁の間の空間部に充填剤が挿入されない状態で、隣接した基礎ブロックの前記側壁同士を２組の締結手段組で締結されて連結し、定の曲がり配置位置に配置に、隣接した基礎ブロックの前記側壁同士を固定して、延長したガードレールを形成することからなるガードレール用の基礎ブロックを隣接した基礎ブロックに対して延長方向に連結してガードレールを形成する方法が構成される。
【００９４】
本実施例によれば、基礎ブロックは、隣接する基礎ブロックとの曲げ状態を簡便に形成でき、しかも曲げ角度を大きく設定することができて、ガードレールを前面から見たときに、任意の曲げ状態にあるガードレール外面が連続した面一形状をなして安全性が確保されたものであること、及び双方の基礎ブロックを固定する連結部材については、ブロック間にモルタルあるいはコンクリート等の詰め物を充填することを要さずに双方の基礎ブロックを強固に固定し、原価が安価で、基礎ブロックに容易に装着することができる。
【００９５】
隣接した基礎ブロック同士が所定の曲がり配置に設定され、２組のボルトとナットが、前記側壁同士が前記接触係合面を中心に互いに近づこうとする回動動作を規制して、前記側壁の間の空間部に充填剤が挿入されない状態で、隣接した基礎ブロック同士を固定することができる。
【００９６】
これによって、上述したニーズを満足させることのできる構造を持った基礎ブロックを有し、基礎ブロック間にモルタルあるいはコンクリート等の詰め物を充填しないことで原価を安価にした連結手段を基礎ブロックに装着した構造を提供できる。コンクリート等の詰め物を充填しないことで施工手間を省力することができる。
【符号の説明】
【００９７】
１００…ガードレール、１Ａ、１Ｂ、１Ｃ、１Ｄ、１…基礎ブロック、２…底板、３…前壁、４…補強ブロック、５、６側壁、７…支柱を建て込むために補強ブロックに設けられた孔、８…浅いくぼみ、１１、１１Ａ…有底孔、１２、１２Ａ…貫通孔、１３…凸R形状面を有する右端面、１４…凹R形状面を有する左端面、２０…１組のボルト及びナット、２０Ａ…他組のボルト及びナット、２１、２１Ａ…ボルト、２２、２３及び２２Ａ、２３Ａ…ナット、２４、２５及び２４Ａ、２５Ａ…ワッシャー。
【図１】
2020090802.tif 000003
【図２】
2020090802.tif 000004
【図３】
2020090802.tif 000005
【図４（１）】
2020090802.tif 000006
【図４（２）】
2020090802.tif 000007
【図４（３）】
2020090802.tif 000008
【図５】
2020090802.tif 000009
【図６】
2020090802.tif 000010
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
前端が後端に比べて狭められた底板と、当該底板の後端部に立設した平板上の前壁と、当該前壁の一部に、前端側に厚くして設けられ、支柱建込用の穴を有する補強ブロックと、底板の両端より内側の位置に前記前壁に接続して設けられた側壁と、を一体成形してなる、隣接した基礎ブロックに延長方向に連結して用いられるガードレール用の基礎ブロックにおいて、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合し、隣接した基礎ブロック同士が、直線状の配置から底板のある内方及び反対方向の外方のいずれかの方向へ回転動作されて曲がり配置され得て、前記基礎ブロックが隣接した基礎ブロックに配置角度に対して所定の接触係合配置角度を有し、
隣接した基礎ブロックの前記側壁同士を相互に連結する、ボルトとナットを有した締結手段組を２組有して、一方の側壁が底のある孔を有し、他方の側壁が貫通孔を有して、ボルトが貫通孔を貫通して一方の孔の底に押し当てられて、ナット締めによって他方の側壁に固着されることで隣接した基礎ブロックの前記側壁同士を締結することで隣接した基礎ブロックを締結する締結手段を備え、
所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたこと
を特徴とするガードレール用の基礎ブロック。
【請求項２】
前端が後端に比べて狭められた底板と、当該底板の後端部に立設した平板上の前壁と、当該前壁の一部に、前端側に厚くして設けられ、支柱建込用の穴を有する補強ブロックと、底板の両端より内側の位置に前記前壁に接続して設けられた側壁と、を一体成形してなる、隣接した基礎ブロックに延長方向に連結して用いられるガードレール用の基礎ブロックにおいて、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合し、隣接した基礎ブロック同士が、直線状の配置から底板のある内方及び反対方向の外方のいずれかの方向へ回転動作されて曲がり配置され得て、前記基礎ブロックが隣接した基礎ブロックに配置角度に対して所定の接触係合配置角度を有し、
隣接した基礎ブロックの前記側壁同士を相互に締結することで隣接した基礎ブロックを締結する締結手段を備え、
所定の接触角度で曲がり配置に設定された隣接した基礎ブロック同士が、前記側壁の間の空間部に充填剤が挿入されない状態で、前記基礎ブロックが隣接した基礎ブロックに配置角度に対して所定の接触係合配置角度で、前記側壁に設けた２組の締結手段で締結されたこと
を特徴とするガードレール用の基礎ブロック。
【請求項３】
前端が後端に比べて狭められた底板と、当該底板の後端部に立設した平板上の壁と、当該壁の一部に、当該部分を前端側に厚くして設けられ、支柱建込用の穴を有する補強ブロックと、底板の両端より内側の位置に前壁に接続して設けられた側壁と、を有し、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合して、隣接した基礎ブロック同士を、直線状の配置から底板のある内方及び反対方向の外方のいずれかの方向への曲がり配置されることが可能とされ、
隣接した基礎ブロックの前記側壁同士を相互に連結する、ボルトとナットを有した締結手段組を２組有して、隣接した基礎ブロックの前記側壁同士を締結することで隣接した基礎ブロックを連結する連結手段を備えたガードレール用の基礎ブロックを隣接した基礎ブロックに対して延長方向に連結してガードレールを形成する方法において、
隣接した基礎ブロック同士を、回動動作させて、一方の凸R形状面もしくは凹R形状面と他方の凹R形状面もしくは凸R形状とを接触係合させながら配置位置調整して、
前記基礎ブロックが隣接した基礎ブロックに配置角度に対して所定の接触係合配置角度で配置し、
前記側壁の間の空間部に充填剤が挿入されない状態で、かつ前記基礎ブロックが隣接した基礎ブロックに配置角度に対して所定の接触係合配置角度で隣接した基礎ブロックの前記側壁同士を２組の締結手段で締結して連結し、固定して、延長したガードレールを形成すること
を特徴とするガードレール用の基礎ブロックを隣接した基礎ブロックに対して延長方向に連結してガードレールを形成する方法。
【手続補正２】
【補正対象書類名】明細書
【補正対象項目名】００１６
【補正方法】変更
【補正の内容】
【００１６】
本発明は、前端が後端に比べて狭められた底板と、当該底板の後端部に立設した平板上の壁と、当該壁の一部に、当該部分を前端側に厚くして設けられ、支柱建込用の穴を有する補強ブロックと、底板の両端より内側の位置に前壁に接続して設けられた側壁と、を有し、
隣接した基礎ブロックの前記側壁同士間に形成された空間部を有し、
前記前壁が、両端面に、底板方向に凸R形状面もしくは凹R形状面を有して、当該凸R形状面もしくは凹R形状面が、隣接した基礎ブロックの前壁の両端面に設けられた凹R形状面もしくは凸R形状面に沿って嵌合することなく接触係合して、隣接した基礎ブロック同士を、直線状の配置から底板のある内方及び反対方向の外方のいずれかの方向への曲がり配置されることが可能とされ、
隣接した基礎ブロックの前記側壁同士を相互に連結する、ボルトとナットを有した締結手段組を２組有して、隣接した基礎ブロックの前記側壁同士を締結することで隣接した基礎ブロックを連結する連結手段を備えたガードレール用の基礎ブロックを隣接した基礎ブロックに対して延長方向に連結してガードレールを形成する方法において、
隣接した基礎ブロック同士を、回動動作させて、一方の凸R形状面もしくは凹R形状面と他方の凹R形状面もしくは凸R形状とを接触係合させながら配置位置調整して、
前記基礎ブロックが隣接した基礎ブロックに配置角度に対して所定の接触係合配置角度で配置し、
前記側壁の間の空間部に充填剤が挿入されない状態で、かつ前記基礎ブロックが隣接した基礎ブロックに配置角度に対して所定の接触係合配置角度で隣接した基礎ブロックの前記側壁同士を２組の締結手段で締結して連結し、固定して、延長したガードレールを形成すること
を特徴とするガードレール用の基礎ブロックを隣接した基礎ブロックに対して延長方向に連結してガードレールを形成する方法を提供する。